(57)【特許請求の範囲】
【請求項１】
センサユニットと、
前記センサユニットの外側部分に圧入するパッキンと、
前記パッキンが圧入された前記センサユニットを圧入する開口部を有する本体ケースと、を有し、
前記センサユニットは、前記パッキンとの位置を規定する突起部を有し、
前記パッキンは、前記センサユニットの前記突起部に係合する溝部と、前記センサユニットを前記本体ケースを圧入するときに、前記本体ケースに対する位置決めを行う第１のマークとを有し、
前記本体ケースは、前記センサユニットが前記本体ケースに圧入されたとき、前記センサユニットが前記本体ケースに対して所定の位置になるように前記パッキンの前記第１のマークに対応する第２のマークを有するセンサ付き電子時計。
【請求項２】
センサユニットと、
前記センサユニットの外側部分に圧入するパッキンと、
前記パッキンが圧入された前記センサユニットを圧入する開口部を有する本体ケースと、を有し、
前記センサユニットは、前記パッキンとの位置を規定する第１のマークを有し、
前記パッキンは、前記センサユニットに前記パッキンを圧入したとき、前記センサユニットの前記第１のマークに合わせる第２のマークと、前記本体ケースとの相対位置を決める突起部とを有し、
前記本体ケースは、前記センサユニットを前記本体ケースに圧入するときに、前記パッキンと係合する溝部を有するセンサ付き電子時計。
【発明の詳細な説明】
【０００１】
【発明の属する技術分野】
この発明は、センサユニットの位置を規定でき、組み立て易いセンサ付き電子機器に関する。
【０００２】
【従来の技術】
図６は、従来のセンサ付き電子時計の一例を示す一部断面図である。このセンサ付き電子時計３００では、ケース本体３０１にセンサユニット３０２を収容する開口部３０３を形成した構造であり、この開口部３０３内にはセンサユニット３０２の深さ方向で支える内段部３３１が形成されている。また、この内段部３３１の直上には、センサ嵌合部３３２、斜面３３３およびリング圧入部３３４が設けられている。さらに、前記内段部３３１にはパッキング溝３３５が形成されており、このパッキング溝３３５内にはパッキング３０４が配置されている。
【０００３】
センサユニット３０２を組み付けるには、まず、この開口部３０３に、前記斜面３３３およびセンサ嵌合部３３２をガイドとしつつセンサユニット３０２を挿入する。続いて、止めリング３０５をリング圧入部３３４に圧入し、内つば部３５１をセンサユニット３０２の上面に係止する。この状態で止めリング３０５を押し込むと、センサユニット３０２の下面とパッキング溝３３５に挟まれてパッキング３０４が圧縮状態になる。これにより、センサユニット３０２を固定すると同時に、ケース本体３０１を密封して防水機能を得ることができる。なお、開口部３０３の前面には断続的に窓３６１を設けた保護板３０６が取り付けられる。
【０００４】
【発明が解決しようとする課題】
しかしながら、上記従来のセンサ付き電子時計３００では、センサユニット３０２の固定を、止めリング３０５を用いて行い、ケース本体３０１の密封をパッキング溝３３５とパッキング３０４により行うため、センサユニット３０２の下側に接続基板などの導通部材（図示省略）を設け、これとの電気的な接続を図るにあたり、相対的位置が規定できないという問題点があった。また、センサユニット３０２と導通部材との相対位置を調整する必要があるため、組立工程が複雑になるという問題点があった。
【０００５】
そこで、この発明は、上記に鑑みてなされたものであって、センサユニットの位置を規定でき、組み立て易いセンサ付き電子機器を提供することを目的とする。
【０００６】
【課題を解決するための手段】
この発明では、センサユニットの外側部分をパッキン内側部分に圧入し、パッキンの外側部分をケース本体の開口部に圧入することで、開口部内にセンサユニットを固定するようにしており、この際、パッキンおよび開口部周縁にそれぞれマークまたは特定形状部を設けておき、かかるマークまたは特定形状部を合わせることでセンサユニットの位置を規定するようにしている。センサユニットの位置を規定することにより、接続基板などの導通部材との接触を確実に行なえる。
【０００７】
また、センサユニットをパッキンに圧入する際は、互いの位置を確認しながら行なえるが、さらに、前記パッキンとセンサユニットとの位置関係を規定する規定部を設ければ、より簡単かつ確実にセンサユニットの位置を規定することができる。
【０００８】
【発明の実施の形態】
以下、この発明につき図面を参照しつつ詳細に説明する。なお、この実施の形態によりこの発明が限定されるものではない。
実施の形態１．
図１は、この発明の実施の形態１にかかるセンサ付き電子時計を示す一部断面図である。このセンサ付き電子時計１００は、ケース本体１に開口部２が形成されており、この開口部２に圧力センサユニット３を収容した構造になっている。圧力センサユニット３は、半導体結晶に外圧が加わることによるピエゾ抵抗効果により内部抵抗が大きく変化することを利用したものであって、ダイヤフラム部に半導体ひずみゲージによるホイートストンブリッジ回路を形成し、パッケージングしたものである。開口部２には内段部２１が形成されており、この内段部２１が圧力センサユニット３の下面３１に当接することによって圧力センサユニット３の挿入深さを調節するようにしている。また、開口部２の入口側にはパッキン４を圧入する圧入部２２が設けられている。
【０００９】
パッキン４はその外周面４１で圧入部２２に圧入されており、パッキン４と圧入部２２とのはめあいは、しまりばめとなっている。また、パッキン４の内側には、圧力センサユニット３の上面段部３３に当接する段部４２が形成されている。この段部４２は、圧力センサユニット３の外形に対応して設けたものであり、かかる外形以外の圧力センサユニットを用いる場合には異なる形状をパッキン内側に形成するようにする。また、パッキン４の内側面４４と圧力センサユニット３の外周面３２とのはめあいも、しまりばめとなる。
【００１０】
図２は、図１に示した圧力センサユニットの下面図である。同図に示すように、パッキン４の内側面には位置規定用の突起部４６が形成されている。また、圧力センサユニット３には、前記突起部４６に係合する溝部３６が設けられている。この突起部４６および溝部３６（規定部）は、圧力センサユニット３をパッキン４に押し込んだときに互いに係合し、パッキン４に対する圧力センサユニット３の位置を規定する。なお、この突起部４６および溝部３６の他、圧力センサユニット３の下面とパッキンの下面とにマーク（規定部）を付しておき、このマークを合わせることで、前記パッキンに対する圧力センサユニットの位置を規定するようにしてもよい（図示省略）。さらに、パッキン４のうち圧力センサユニット３の検知面３４と対向する部分には、測定用の窓４５が形成されている。
【００１１】
パッキン４は、圧入部２２と圧力センサユニット３に圧入するため、プラスチック製とするのが好ましい。例えばポリエチレン、ポリ塩化ビニル、ポリプロピレン、ポリスチレンなどの熱可塑性樹脂や、フェノール樹脂、不飽和ポリエステル樹脂、メラミン樹脂、、エポキシ樹脂およびシリコン樹脂などの熱硬化性樹脂、ポリアミド、ポリカーボネート、ポリアセタール、飽和ポリエステルなどのエンジニアリングプラスチックを用いることができる。また、アクリロニトリルブタジエンゴム、多硫化ゴム、アクリルゴム、フッ素ゴム、シリコンゴムなどの特種ゴム製とすることもできる。
【００１２】
図３は、本体ケースに圧力センサユニットを組み付けた状態を示す斜視図である。同図に示すように、パッキン４の上面には三角形の第１マーク４７が、本体ケース１の上面には略四角形の第２マーク１１が設けられている。第１マーク４７の頂点が第２マーク１１を指しているときは、圧力センサユニット３が所定位置にある。具体的には、図２に示すように、圧力センサユニット３の接点が接続基板の電極に接触する位置にあり（図示省略）、第１マーク４７と第２マーク１１とを合わせることにより、圧力センサユニット３と接続基板５との電気的な導通を取ることができる。接続基板５は時計モジュールの回路基板に接続するものであり、図示しない与圧部材などにより圧力センサユニット３側に付勢されている。なお、第１マーク４７は窓４５と兼用するようにしてもよい。
【００１３】
つぎに、センサ付き電子時計１００の組立工程について説明する。まず、圧力センサユニット３をパッキン４に圧入する。外周面３２と内側面４４はしまりばめとなっているから、パッキン４を押し込むことによって互いに固定されると共に密着性を確保することができる。また、圧入する際は、圧力センサユニット３とパッキン４との相対位置関係に考慮することで、圧入完了時にパッキン４の突起部４６と圧力センサユニット３の溝部３６とが係合する。圧力センサユニット３を仮固定したら、つぎに、圧力センサユニット３ごとパッキン４を開口部２に圧入する。また、圧入の際は、第１マーク４７と第２マーク１１を合わせるようにする。パッキン４の外周面４１と圧入部２２とはしまりばめとなっていから、パッキン４を押し込むことによって双方が強固に固定される。
【００１４】
また、パッキン４を押し込むことにより、圧力センサユニット３の下面３１が内段部２１に当接し、上面段部３３はパッキン４の段部４２に当接するから、これにより圧力センサユニット３が位置決め固定される。さらに、パッキン４を圧入することによって圧入部２２と圧力センサユニット３との間隔が狭まるから、圧入部２２とパッキン４の外周面４１との間、パッキン内周面４４と圧力センサユニット３の外周面３２との間がさらなる加圧状態になって、完全な密封を得ることができる。また、圧入完了後に第１マーク４７と第２マーク１１とがずれていたら、強制的に回転させて位置合わせするようにする。これにより、圧力センサユニット３の位置を規定することができる。
【００１５】
以上、この発明のセンサ付き電子時計１００では、圧力センサユニット３とパッキン４とを突起部４６と溝部３６により、本体ケース１とパッキン４とを第１マーク４７および第２マーク１１により相対的に位置合わせするから、圧力センサユニット３の位置を規制でき、接続基板５その他の導通部材と確実に導通することができる。また、圧力センサユニット３の位置合わせを容易に行なえるから、組立が容易である。つぎに、この実施の形態１の効果としては、従来のような止めリングやパッキング溝およびパッキングを用いず、固定と密封の両機能を備えたパッキン４を用いることで圧力センサユニット３の固定と密封を行うため、部品点数が少なくて済む。また、パッキン４に圧力センサユニット３を仮固定してから、パッキン４ごと開口部２に圧入できるから、製造工程を削減できる。
【００１６】
なお、上記では圧力センサユニット３を用いているがこれに限定されず、例えば振り子の板バネに金属ひずみゲージを設けた加速度センサや、パルスエコー方式などの原理を利用した距離センサ、光電効果を利用した光センサ、ホール効果を利用した磁気センサ、バイメタルやサーミスタを用いた温度センサなどの場合でも同様の効果を奏する。また、上記構成を適用できるのは電子時計に限定されず、例えば携帯電話、携帯ゲーム機、小型計測器、モバイルコンピュータなどにも適用可能である。また、上記ではパッキン４により密封を行なっているが、この他、内段部２１と圧力センサユニットの下面３１との間にシール材を設けて、密封するようにしてもよい。
【００１７】
実施の形態２．
図４は、この発明の実施の形態２にかかるセンサ付き電子時計を示す一部断面図である。このセンサ付き電子時計２００は、実施の形態１のような第１マーク４７および第２マーク１１を用いず、パッキン２０４に突起部２４１（特定形状部）を形成し、本体ケース２０１に突起部２４１と係合する溝部２１１（特定形状部）を設けた点に特徴がある。その他の構成は実施の形態１と同様であるから説明を省略する。また、図５に示すように、パッキン２０４および圧力センサユニット３のそれぞれには第１マーク２４２および第２マーク２３１が設けられている。
【００１８】
圧力センサユニット２０３をパッキン２０４に圧入する際には、圧力センサユニット２０３側の第１マーク２３１をパッキン２０４側の第２マーク２４２に合わせるようにする。つぎに、圧力センサユニット２０３ごとパッキン２０４を本体ケース２０１の開口部２に圧入する。この際、パッキン２０４の突起部２４１が本体ケース２０１の溝部２１１に係合するようにする。かかる構成では、圧力センサユニット３とパッキン４とを第１マーク２３１と第２マーク２４２により、本体ケース２０１とパッキン２０４とを突起部２４１と溝部２１１により相対的に位置合わせするから、圧力センサユニット２０３の位置を規制でき、接続基板５その他の導通部材と電気的な導通をとることができる。
【００１９】
【発明の効果】
以上説明したように、この発明のセンサ付き電子機器によれば、パッキンおよび開口部周縁にそれぞれマークまたは特定形状部を設けたので、かかるマークまたは特定形状部を合わせることでセンサユニットの位置を規定することができるし、組立易い。また、パッキンとセンサユニットとの位置関係を規定する規定部を設けたので、より簡単かつ確実にセンサユニットの位置を規定することができる。
【図面の簡単な説明】
【図１】この発明の実施の形態１にかかるセンサ付き電子時計を示す一部断面図である。
【図２】図１に示した圧力センサユニットの下面図である。
【図３】本体ケースに圧力センサユニットを組み付けた状態を示す斜視図である。
【図４】この発明の実施の形態２にかかるセンサ付き電子時計を示す一部断面図である。
【図５】図４に示した圧力センサユニットの下面図である。
【図６】従来のセンサ付き電子時計の一例を示す一部断面図である。
【符号の説明】
１００    センサ付き電子時計
１    ケース本体
２    開口部
３    圧力センサユニット
４    パッキン
【図１】
0003583014.tif 000002
【図２】
0003583014.tif 000003
【図３】
0003583014.tif 000004
【図４】
0003583014.tif 000005
【図５】
0003583014.tif 000006
【図６】
0003583014.tif 000007